(57)【要約】【課題】会員のために、常に全体を眺めながら関心の有る詳細部分を閲覧することができるシステム、および方法を提供すること。【解決手段】会員が利用する端末２に表示させる画面データを作成する画面表示制御装置１は、データベース８にアクセスして表示対象データを取得するデータ取得手段９と、所定のカテゴリに着目して取得したデータから全体表示領域に一覧表示させる画面データを生成する全体表示制御手段１０と、会員端末２によって全体表示領域中のデータが特定された場合、この特定されたデータに関連するデータを取得して画面の詳細表示領域に表示させる画面データを生成する詳細表示制御手段１１とを備える。生成される画面データは、表示領域全体を２以上の区画に分割し、一の区画を全体表示領域とし他の1以上の区画を詳細表示領域とし、対象データ全体を俯瞰しながら特定のデータの詳細を閲覧可能とする。【選択図】図２
2013149187.tif 000002
【特許請求の範囲】
【請求項１】
ＳＮＳの会員が利用する会員端末と、会員端末に表示させる画面データを作成する画面表示制御装置とが通信可能に接続する画面表示制御システムであって、
前記会員端末は、
画面表示部と入力部と通信インターフェース部とを備え、
前記画面表示制御装置は、
画面データの前記会員端末への送信と及び前記会員端末の入力部の操作により得られた入力情報の受信とを行う通信インターフェース部と、
ＳＮＳの各種情報を格納するデータベースにアクセスして表示対象データを取得するデータ取得手段と、
所定の表示対象カテゴリに着目して取得したデータから全体表示領域に一覧表示させる画面データを生成する全体表示制御手段と、
前記入力部の操作によって前記全体表示領域中のデータが特定された場合、この特定されたデータに関連するデータを取得して画面の詳細表示領域に表示させる画面データを生成する詳細表示制御手段と、を備え、
表示領域全体を２以上の区画に分割し、一の区画を全体表示領域とし他の1以上の区画を詳細表示領域とするとともに、
前記詳細表示制御手段は、前記全体表示領域中の特定されたデータが変更されると、そのデータに関連するデータで詳細表示領域中の表示を更新し、
前記全体表示制御手段は、前記詳細表示領域中のデータが変更されると、そのデータに関連する前記全体表示領域中のデータの表示を更新する
ことを特徴とする画面表示制御システム。
【請求項２】
前記全体表示領域中の特定されたデータは、前記入力部の操作により他のデータが特定されるまで視認可能に表示されていることを特徴とする請求項１に記載の画面表示制御システム。
【請求項３】
前記全体表示制御手段は、前記入力部の操作により表示対象カテゴリが変更された場合、変更後のカテゴリに着目してデータを前記データベースから取得し、この取得したデータで全体表示領域を更新することを特徴とする請求項１に記載の画面表示制御システム。
【請求項４】
前記表示対象カテゴリが会員からの各種投稿である場合、前記全体表示領域中の特定されたデータに関連するデータには、当該投稿主体のプロフィール、当該投稿の全文、および当該投稿に対するコメントが含まれうるとともに、
前記画面表示制御装置は、
さらに詳細表示領域に設けられたＧＵＩの入力機能を介して入力されたコメントを前記データベースに送信する会員入力データ処理手段を備え、
前記全体表示制御手段および前記詳細表示制御手段は、前記コメントが入力されたことに伴う画面データの更新をすることを特徴とする請求項１に記載の画面表示制御システム。
【請求項５】
前記全体表示領域および前記詳細表示領域はそれぞれスクロール可能に表示されることを特徴とする請求項１〜４のいずれか１に記載の画面表示制御システム。
【請求項６】
画面表示領域全体を２以上の区画に分割し、一の区画を全体表示領域とし他の1以上の区画を詳細表示領域とする画面データを、ＳＮＳの会員が利用する会員端末向けに作成する画面表示制御装置であって、
該画面表示制御装置は、
画面データの前記会員端末への送信と及び前記会員端末の入力部の操作により得られた入力情報の受信とを行う通信インターフェース部と、
ＳＮＳの各種情報を格納するデータベースにアクセスして表示対象データを取得するデータ取得手段と、
所定の表示対象カテゴリに着目して取得したデータから全体表示領域に一覧表示させる画面データを生成する全体表示制御手段と、
前記入力部の操作によって前記全体表示領域中のデータが特定された場合、この特定されたデータに関連するデータを取得して画面の詳細表示領域に表示させる画面データを生成する詳細表示制御手段と、を備え、
前記詳細表示制御手段は、前記全体表示領域中の特定されたデータが変更されると、そのデータに関連するデータで詳細表示領域中の表示を更新し、
前記全体表示制御手段は、前記詳細表示領域中のデータが変更されると、そのデータに関連する前記全体表示領域中のデータの表示を更新する
ことを特徴とする画面表示制御装置。
【請求項７】
画面表示領域全体を２以上の区画に分割し、一の区画を全体表示領域とし他の1以上の区画を詳細表示領域とする画面データを、ＳＮＳの会員が利用する会員端末向けに作成する画面表示データ作成方法であって、
ＳＮＳの各種情報を格納するデータベースにアクセス可能なコンピュータが、
画面データの前記会員端末への送信と及び前記会員端末の入力部の操作により得られた入力情報の受信とを行うステップと、
前記データベースにアクセスして表示対象データを取得するステップと、
所定の表示対象カテゴリに着目して取得したデータから全体表示領域に一覧表示させる画面データを生成するステップと、
前記入力部の操作によって前記全体表示領域中のデータが特定された場合、この特定されたデータに関連するデータを取得して画面の詳細表示領域に表示させる画面データを生成するステップと、を実行し、
さらに、前記全体表示領域中の特定されたデータが変更されると、そのデータに関連するデータで詳細表示領域中の表示を更新するとともに、前記詳細表示領域中のデータが変更されると、そのデータに関連する前記全体表示領域中のデータの表示を更新するステップを実行する
ことを特徴とする画面表示データ作成方法。
【発明の詳細な説明】
【技術分野】
【０００１】
常に全体を眺めながら関心の有る詳細部分を閲覧し主体的に交流に参加していくことができるシステム、画面表示制御装置および画面表示データ作成方法に関し、特に、ソーシャルネットワークシステムに好適な技術に関する。
【背景技術】
【０００２】
最近、Ｗｅｂシステムにおいて、リンク機能のおかげで１つのページから関連あるページへ次々と遷移していくことができる。関心あるテーマを追求し知見を広めていくためには非常に便利である。当人の教養や想像力によって、単に知識量を増やすだけでなく、知識の質を深めていくことさえ可能である。従来のインテリは、山のような書物を読破した人というイメージがあるが、現代のインテリは、インターネットを駆使して関連情報群を広い範囲（場所的・時間的に）で収集し、それらを自分が利用しやすい形で整理できる人ということになる。
【０００３】
もちろん、“現代のインテリ”になるには才能と経験が必要となるが、未熟な人間でもそういう特典・楽しみを限定的にでも享受したいものである。というわけでインターネット検索を利用しようとし、リンク機能を多用して次々にページを移っていくわけである。しかし、すぐ大きな問題に突きあたる。それは発散の問題である。最初はＡというテーマで閲覧していたところ、いつのまにかＢ、Ｃへとテーマが変わっている。たしかに興味の赴くまま次々と閲覧していって、知識の間口を広げていくことも無意味ではない。思いがけない着想を得たり、一見無関係なもの同士の繋がりを発見したり、といった効果もあり、それはそれで楽しいことではある。
しかしこれでは、関心の対象がぼやけ注意力が散漫になるおそれがあり、単なる暇つぶしに終わってしまいかねない。やはり、Ａというテーマで出発したならば、そのテーマから逸れることなく知見を増やしていくこと、即ち収束することが基本である。
【０００４】
このような発散は、画面に多くのリンクが張られていること、そして画面全体が切り替わってしまうことに起因している。これを防ぐためにはページの作成者側が工夫して、常に全体を俯瞰しながら細部が眺められるような画面レイアウト・画面遷移にすることが重要である。つまり思弁的な意味においてだけではなく、文字通り視点を視覚的にも固定した画面設計がユーザには大層親切である。
【０００５】
このことを、インターネット検索一般ではなく、特にＳＮＳ（ソーシャルネットワーキングサービス）において考えようというのが本発明の主題である。
ＳＮＳでは、会員仲間の投稿や日記を閲覧していくと、それに対するコメントなども閲覧できる。さらにそのコメントに対するコメントなどもあり、クモの巣状にリンクが張られている。その結果、当初は現代美術に造詣の深いＸ氏の投稿を閲覧していたのに、いつのまにか大のサッカーファンのＺ氏の投稿を閲覧していたりする。つまり前述の発散の問題が起きているわけである。
【０００６】
このような発散の問題に関連した工夫として非特許文献１がある。
非特許文献１はツイッターの画面を扱っている。
非特許文献１を参考にツイッター画面例の概略を図６に示す。タイムラインと呼ばれる投稿「つぶやき」の一覧が画面左側の列Ａに表示されている。いずれか１の投稿Ｃを選択すると右側の列Ｂに、当該投稿の主（例えば、“金子○美”）に関連する情報、例えばプロフィールＤ、この投稿のフォロワー数Ｅ、同一人の他の投稿のリストＦが表示される。タイムラインを常に表示しながら、特定された投稿と関連情報を表示する、この表示方法は木を見ながら森にいることを意識させようというコンセプトがうかがえる。
【先行技術文献】
【非特許文献】
【０００７】
【非特許文献１】“Ｔｗｉｔｔｅｒ／おすすめユーザ／あなたへのおすすめ”（http://twitter.com/#!/who_to_follow）
【発明の概要】
【発明が解決しようとする課題】
【０００８】
たしかに、上記の図６に例示した画面では、右側の領域Ｂによって特定のユーザが他にどのような投稿をしているかもわかり、情報を広めていく点では見るべきものがある。ツイッターは、次々と情報が「つぶやき」という形で伝播していくことにその発生の由来があるのだから、それで十分といえば十分である。
【０００９】
しかしながら、会員同士の人的交流を重視するＳＮＳではこのような画面では物足りない。例えば、同一人が最近どのような投稿をしているかはＦ欄に表示されているが、他者がこれに対してどのような投稿をしているかはわからない。つまり、他者との対話が成立せず、従って会員同士の人的交流は期待できない。
以上の問題点を考察して本発明は、ＳＮＳに関する以下のような仕組みを提案する。
全投稿を常に表示し、かつその中から関心のある投稿を選択し並列して詳細表示し、かつその詳細表示画面を通して会員がその会話の中に主体的に参画できるようにする、
このようなＳＮＳの趣旨に合致す画面表示方法の提案が本発明の目的である。
【課題を解決するための手段】
【００１０】
上記の目的を達するために、請求項１に係る発明は、ＳＮＳの会員が利用する会員端末と、会員端末に表示させる画面データを作成する画面表示制御装置とが通信可能に接続するＳＮＳシステムであって、
前記会員端末は、画面表示部と入力部と通信インターフェース部とを備え、
前記画面表示制御装置は、通信インターフェース部と、データ取得手段と、全体表示制御手段と、詳細表示制御手段とを備える。
通信インターフェース部は、画面データの前記会員端末への送信と及び前記会員端末の入力部の操作により得られた入力情報の受信とを行う。
データ取得手段は、ＳＮＳの各種情報を格納するデータベースにアクセスして表示対象データを取得する。
全体表示制御手段は、所定の表示対象カテゴリに着目して取得したデータから全体表示領域に一覧表示させる画面データを生成する。
詳細表示制御手段は、前記入力部の操作によって前記全体表示領域中のデータが特定された場合、この特定されたデータに関連するデータを取得して画面の詳細表示領域に表示させる画面データを生成する。
表示領域全体は２以上の区画に分割され、一の区画は全体表示領域、他の1以上の区画は詳細表示領域とされるとともに、
詳細表示制御手段は、さらに前記全体表示領域中の特定されたデータが変更されると、そのデータに関連するデータで詳細表示領域中の表示を更新し、
全体表示制御手段は、さらに前記詳細表示領域中のデータが変更されると、そのデータに関連する前記全体表示領域中のデータの表示を更新する。
【００１１】
このように画面に全体表示領域と詳細表示領域とを設けたので、全体のどの箇所に対応する詳細内容を現在閲覧しているのか意識しながら閲覧できる。漫然と眺めるのではなく、全体を俯瞰しながら明確な意識を持って閲覧できる。
全体表示領域あるいは詳細表示領域のいずれかにデータ変更（削除、新規追加を含む）があった場合、他方の領域も連動して更新される。そのため、閲覧者であるＳＮＳ会員は最新の情報を閲覧できる。
【００１２】
請求項２に係る発明は、請求項１に記載のＳＮＳシステムにおいて、前記全体表示領域中の特定されたデータは、前記入力部の操作により他のデータが特定されるまで視認可能に表示されていることを特徴とする。
「視認可能に表示」とは、他の投稿と区別がつくように白黒反転表示されていたり、背景色を他の投稿と異ならせたりすることをいう。
これにより、現在詳細表示領域において表示対象となっているデータは、全体表示領域のどのデータに対応するか（例えば、会員の投稿が最新のものから順に一覧表示されている場合、何番目の投稿か）が一目瞭然である。つまり全データの中からピンポイントで詳細表示対象のデータを見つけだせるわけである。
【００１３】
請求項３に係る発明は、請求項１に記載のＳＮＳシステムにおいて、前記全体表示制御手段は、前記入力部の操作により表示対象カテゴリが変更された場合、変更後のカテゴリに着目してデータを前記データベースから取得し、この取得したデータで全体表示領域を更新することを特徴とする。
ＳＮＳの会員に関するデータには、観点から複数の種類（プロフィール、投稿内容、日記など）に分類される。種類が異なれば、抽出される全体のデータ、つまり全体表示領域に一覧表示されるべきデータは異なる。そのため、請求項３では、閲覧者の選択した種類に応じて、全体表示領域の内容が切り替わる。つまり全体表示といっても閲覧者にとっての興味の対象だけが表示されるので、検索効率の点からもシステム負荷の点からも長所は大きい。
【００１４】
請求項４に係る発明は、請求項１に記載のＳＮＳシステムにおいて、
前記表示対象カテゴリが会員からの各種投稿である場合、前記全体表示領域中の特定されたデータに関連するデータには、当該投稿主体のプロフィール、当該投稿の全文、および当該投稿に対するコメントが含まれうるとともに、
前記画面表示制御装置は、
さらに詳細表示領域に設けられたＧＵＩ（Ｇｒａｐｈｉｃａｌ  Ｕｓｅｒ  Ｉｎｔｅｒｆａｃｅ）の入力機能を介して入力されたコメントを前記データベースに送信する会員入力データ処理手段を備え、
前記全体表示制御手段および前記詳細表示制御手段は、前記コメントが入力されたことに伴う画面データの更新をすることを特徴とする。
これにより、詳細表示領域においては、単に閲覧だけではなく投稿などの主体的な参画が可能となる。その結果が即座に全体表示領域にも反映されるので、会員同士の交流がリアルタイムで行われているかのような効果を発揮する。
【００１５】
請求項５に係る発明は、請求項１〜４のいずれか１に記載のＳＮＳシステムにおいて、
前記全体表示領域および前記詳細表示領域はそれぞれスクロール可能に表示されることを特徴とする。
これにより、全体表示、詳細表示はそれぞれ独立にスクロールできるので、閲覧者にとってはさらに見やすい画面となる。ページ全体に１つのスクロールバーがあるのも手軽ではあるが、全体表示領域と詳細表示領域とで表示されるデータ量に著しい差があるときは見づらくなる。
【００１６】
また、請求項６に係る画面表示制御装置、請求項７に係る画面表示データ作成方法も、上記の目的を達成するものである。
【発明の効果】
【００１７】
いろいろな会員仲間の投稿などを閲覧しながらも、常に全体の中のどの位置で閲覧しているのかを自覚することができる。本発明の表示方法によれば、閲覧者をして、興味の拡散をさせないようにし、単なる暇つぶしに終わらせず有意義な時をすごしてもらうことができる。
【図面の簡単な説明】
【００１８】
【図１】実施の形態のシステム構成図である。
【図２】実施の形態の会員端末および画面表示制御装置の機能ブロック図である。
【図３】実施の形態の画面の表示領域を示す図である。
【図４】実施の形態の投稿閲覧用画面の表示例を示す図である。
【図５】実施の形態の全体表示領域と詳細表示領域との連動した変更表示を説明する図である。
【図６】全体と部分とを対比する従来画面例を示す図である。
【発明を実施するための形態】
【００１９】
本発明の一実施の形態のシステム（以下、「本システム」）について図面を参照しながら説明する。
【００２０】
図１に示すように、本システムは、画面表示制御装置１と、これにインターネットなどの通信ネットワークＮを介して接続可能な任意台数の会員端末２を含み構成されている。図１には、会員端末２が３台記載されているが、台数に制限はない。
本システムはＳＮＳが会員用に表示する画面を作成し、会員による閲覧や参加の際の使い勝手の向上を目的としているので、画面表示制御装置１は、ＳＮＳの運営者の管理下にあるコンピュータである。ＳＮＳサーバが画面表示制御装置１を兼用してもよい。もちろんＳＮＳサーバとは独立し、画面データ作成専用であってもよい。
【００２１】
次に図２のブロック図に従い、画面表示制御装置１の構成を説明する。
画面表示制御装置１は、ＣＰＵ（Ｃｅｎｔｒａｌ  Ｐｒｏｃｅｓｓｉｎｇ  Ｕｎｉｔ），ＣＰＵが実行するコンピュータプログラム、ＲＡＭ（Ｒａｎｄｏｍ  Ａｃｃｅｓｓ  Ｍｅｍｏｒｙ）などの内部メモリと、ハードディスクドライブなどの記憶装置を備えたコンピュータにより構成される。
この画面表示制御装置１は機能面に着目すると、図２に示すように、記憶部３と処理部４と通信インターフェース部５を備える。
【００２２】
記憶部３は、データベース格納手段６、プログラム記憶手段７を含む。
データベース格納手段６には、会員情報データベース８（以下、「会員情報ＤＢ８」）が格納される。この会員情報ＤＢ８には、各会員の会員ＩＤと対応づけて会員の個人情報（氏名、メールアドレスなど）および当該会員が他の会員へ開示するコンテンツ（ＳＮＳ会員に公開された日記、ＳＮＳの掲示板への投稿など）が格納される。なお、コンテンツは別のデータベースに格納した場合は、その格納場所が会員情報ＤＢ８に記憶される。
プログラム記憶手段７には、コンピュータを画面表示制御装置１として動作させるために必要なプログラム等が格納されている。
【００２３】
処理部４は、データ取得手段９と全体表示制御手段１０と詳細表示制御手段１１と会員入力データ処理手段１２を含む。
【００２４】
データ取得手段９は、会員情報ＤＢ８にアクセスして表示対象データを取得する。
先ず全体表示について説明する。データのアイテム群はカテゴリに分類される。例えば、カテゴリが「会員名簿」であれば、そのアイテムは「ニックネーム、趣味など」となる。更にこのカテゴリは以下に見るように、「２０１１年１２月以降の掲示板への投稿」のような複雑なカテゴリも可能とする。さて全体表示では、このカテゴリが指定される。会員端末２の入力部１４の操作によってカテゴリが指定され送信さると、データ取得手段９は会員情報ＤＢ８から、そのカテゴリ内アイテムに関して全会員に亘ってデータを取得し、全体表示制御手段１０に送る。
次に詳細表示について説明する。会員端末２の入力部１４の操作によって前記全体表示領域Ｐ中の会員が指定され送信さると、データ取得手段９は、この指定された会員に関連するデータを取得して詳細表示制御手段１１に送る。
【００２５】
全体表示制御手段１０はデータ取得手段９からデータを受けて、全体表示領域Ｐ（図３参照）用の一覧表示データを生成する。また、詳細表示領域Ｑ（図３参照）中のデータが変更された場合、そのデータに関連する全体表示領域Ｐ中のデータの表示を更新する。さらに、会員端末２から表示対象カテゴリの変更が送信された場合、変更後のカテゴリに着目してデータを会員情報ＤＢ８から取得し、この取得したデータで全体表示領域Ｐを更新する。
【００２６】
詳細表示制御手段１１はデータ取得手段９からデータを受けて、画面の詳細表示領域Ｑ用の詳細表示データを生成する。また、全体表示領域Ｐ中の特定されたデータが変更された場合、そのデータに関連するデータで詳細表示領域Ｑ中の表示を更新する。
【００２７】
会員入力データ処理手段１２は、詳細表示領域Ｑに設けられたＧＵＩの入力機能（テキストフィールド、送信ボタンなど）を介して入力されたコメントを会員情報ＤＢ８に格納する。また、全体表示領域Ｐの各データにコメント件数の表示が含まれる場合、該コメント件数を更新表示する。会員は閲覧している間、表示データがリアルタイムに変化していくことによってＳＮＳに参加している実感を得ることができる。
【００２８】
上記の各手段は、その機能に応じて、ハードウェア、ソフトウェアで実装される。ソフトウェアによる場合は、プログラム記憶手段７に格納されているコンピュータプログラムを、ＣＰＵが実行する。これらは、公知の事柄であるので説明を省略する。
また、画面表示制御装置１は、通信インターフェース部５、通信ネットワークＮを介して、画面データを会員端末２へ送信したり、会員端末２の入力部１４の操作により得られた入力情報を受信したりする。
さらに、図２には記載がないが、画面表示制御装置１は、処理の経過に伴う作業用中間データ、パラメータ類などを格納する記憶手段や、会員の入会などの変更を管理する手段等その他の処理手段も備える。
なお、図２に示す各手段の分類は固定的なものではなく、あくまで説明の便宜上にすぎない。
【００２９】
会員端末２は、本システムのユーザが使用するパソコン、携帯端末、携帯電話、スマートフォンなどにより構成される。ここで、会員とは、画面表示制御装置１を運営するＳＮＳの会員のことである。会員になることによって、属性情報が会員情報ＤＢ８に登録され、他の会員の投稿や日記などを読むために必要な会員ＩＤやパスワードが交付される。会員端末２は、画面表示部１３と入力部１４と通信インターフェース部１５とを備えている。また、通信インターフェース部１５、通信ネットワークＮを介して画面表示制御装置１との間で電子情報を送受信したり、Ｗｅｂページを閲覧したりする機能（Ｗｅｂブラウザ）を備えていることが必要である。
【００３０】
次に、本システムの動作について説明する。
まず、この実施形態の会員端末２の画面表示部１３に表示される画面レイアウトについて説明する。
図３に示す画面例Ｓでは、表示領域を縦３列に分割している。左側の列は表示対象カテゴリ選択のためのメニューを表示する領域Ｒであり、中央の列は全体表示領域Ｐであり、右側の列は詳細表示領域Ｑである。
【００３１】
以下、流れに従って表示の仕組みを説明する。
会員端末２から表示対象カテゴリの指定が送信されてくると、データ取得手段９は表示対象カテゴリに含まれる全データを会員情報ＤＢ８から抽出する。例えば、表示対象カテゴリが「会員の日記」であるならば、画面表示制御装置１は会員情報ＤＢ８から日記を公開している会員のニックネームや会員ＩＤとともに、対応する日記を記憶する領域へのポインタなどを抽出する。
【００３２】
ここでは、会員端末２から表示対象カテゴリとして「２０１１年１２月以降の掲示板への投稿」が指定されてきた場合を例に説明する。図４は画面表示例である。
画面表示制御装置１のデータ取得手段９は会員情報ＤＢ８から該当する期間内の全投稿を抽出し、全体表示制御手段１０は投稿者を識別する情報（例えば、「○山△男」などの氏名）などを付した投稿文の一覧表示データを生成し、会員端末２に送信して画面表示部１３内の全体表示領域Ｐに表示させる。投稿文はツイッターのように文字数が制限されていないので長文もありうる。そのため、予め定められた文字数分だけ先頭から取り出し、取り出した分だけを一覧表示させる。全文が読みたければ、当該投稿をさらに指定して詳細表示領域Ｑに表示させればよい。
全体表示領域Ｐの各投稿の掲載欄には、当該投稿に寄せられたコメントの個数Ｈ、詳細表示させるためのＧＵＩ部品Ｉ（ボタンなど）も付与されている。
【００３３】
会員端末２から特定の投稿Ｊの詳細表示ボタンＩがクリックされると、データ取得手段９は会員情報ＤＢ８から投稿内容の全文Ｋ、この投稿に対する他の会員から投稿されたコメントＬを抽出し詳細表示制御手段１１に送信する。
詳細表示制御手段１１はこれらを詳細表示領域Ｑに表示する。あわせて、閲覧している会員がコメントを投稿できるようにするためのＧＵＩの機能部品Ｍ（テキストフィールド、ＳＮＳサーバ送信用ボタンなど）も表示する。同時に全体表示制御手段１０は全体表示領域Ｐ中の当該投稿Ｊをハイライト表示する。これにより閲覧している会員は、全体の中のどの部分を閲覧しているのかが良くわかる。なお、ハイライト表示は、白黒反転させてもよく、背景色を変えて他の投稿と区別できるようにしてもよい。
【００３４】
全体表示領域Ｐには大量の投稿一覧が列挙されることが考えられる。そのため、全体表示領域ＰにはスクロールバーＮを設けることが好ましい。また、詳細表示領域ＱにもスクロールバーＯを設ければ、全体表示領域Ｐと詳細表示領域Ｑとが独自にスクロールし、見易さが増す。
詳細表示対象の投稿がスクロールによって見えなくなることもあるので、全体表示領域Ｐの先頭には会員によって選択されている投稿を常にハイライト表示させ、この部分の下方だけをスクロールさせてもよい。
【００３５】
会員端末２からの表示対象の変更要求について説明する。
まず、会員端末２から詳細表示対象の投稿を変更指定されたときは、画面表示制御装置１は現在の投稿のハイライト表示を消去し、新たに指定された投稿をハイライト表示するとともに、会員情報ＤＢ８から新たに抽出したデータで詳細表示領域Ｑの表示を切り替える。
次に、会員端末２から表示対象カテゴリを変更指定されたときは、画面表示制御装置１は現在の全体表示領域Ｐおよび詳細表示領域Ｑの表示を消去し、あらたに会員情報ＤＢ８から抽出したデータで全体表示領域Ｐを再表示する。
【００３６】
会員からの投稿があったり、閲覧対象の指定が変更になったりすると全体表示領域Ｐと詳細表示領域Ｑの表示内容は連動して変化する。リアルタイムに変更することによって、閲覧者である会員はＳＮＳの会員仲間との交流に参加しているという実感を得ることができる。
【００３７】
例えば、詳細表示領域Ｑを閲覧中に当該投稿に対するコメントが他の会員から投稿されてきた場合、各領域Ｐ，Ｑの表示内容は次のように変化する。図５は変更前後の画面を示すものである。
全体表示領域Ｐの一覧から投稿（ｂ）が選択されて、その詳細が詳細表示領域Ｑに表示されている。投稿（ｂ）に対して投稿されたコメント数は１であり、その投稿（ａ）がコメント欄Ｌに表示されている。この状態において他の会員から投稿（ｂ）に対するコメントとして投稿（ｘ）があったとする。その場合元の画面Ｓ１が画面Ｓ２に変化する。
全体表示領域Ｐには最新の投稿から順に表示されているとすると投稿（ｘ）は先頭に表示される。また、投稿（ｂ）のコメント数が１加算され２に変わる。さらに詳細表示領域Ｑのコメント欄Ｌには投稿（ｘ）が追加表示される。
このようにリアルタイムに全体表示領域Ｐおよび詳細表示領域Ｑが連動して変更表示される。
【００３８】
閲覧している会員は当該投稿に対して詳細表示領域Ｑからコメントを投稿することもできる。テキストを入力し送信ボタンをクリックすると当該会員の会員ＩＤとともに画面表示制御装置１へ送信され、会員情報ＤＢ８に会員ＩＤと対象となった投稿の投稿ＩＤと対応づけてコメント内容が格納される。
画面表示制御装置１は会員情報ＤＢ８の内容が更新されると、全体表示領域Ｐ中の対応する投稿のコメント数を１加算し、全体表示領域Ｐの一覧にこのコメントを追加する。あわせて、コメント欄Ｌに追加表示をする。この画面表示の変更は、図５に示すような他の会員からの投稿があった場合と同様である。
なお、コメント数の増加を考慮すると、詳細表示領域ＱにもスクロールバーＯを設けておくとよい。
【００３９】
詳細表示領域Ｑ内のコメントを指定することもできる。そのコメントをクリックすると、詳細表示領域Ｑの末尾にそのコメントについての詳細情報、例えばそのコメントに対するコメントやコメントの投稿を可能とするＧＵＩの機能部品などを表示する。詳細表示領域Ｑ内に追加表示させる代わりに、ポップアップウィンドウを利用して詳細を表示させてもよい。ある情報から次の情報、さらに次の情報というように情報を掘り下げて閲覧することが可能であればよい。
投稿に対するコメントの投稿についても、全体表示領域Ｐ中のどこにあたるかを示すためにハイライト表示をすることが好ましい。最初に指定した投稿と区別するために背景色を変えるなど適宜行うとよい。
【００４０】
このように、投稿に対する投稿を閲覧したり、閲覧者自ら投稿したりすることができ、会員同士のコミュニケーションの深化が図られる。その際、出発点となった投稿が全体のどこに位置するかを意識できるので、木を見ながらも森のどこにいるかを忘れることはない。この本発明の画面表示のコンセプトは、ツイッターのように単なる情報の発信を目的とするのと違い、仲間同士で共有する情報の深化を目的とするＳＮＳに最適である。
【００４１】
上記の実施形態は、あくまでも例示である。画面の体裁、画面遷移や使用するＧＵＩの部品種類など種々の変形がありうる。また、スクロールバー機能、ハイライト機能、背景色の使い分け、等を充実させることによって効果はあがる。
例えば、全体表示領域Ｐと詳細表示領域Ｑは画面を縦に分割して縦方向にそれぞれ表示していたが、画面を横に分割して、横方向の一の列を全体表示領域Ｐに他の列を詳細表示領域Ｑにしてもよい。あるいは、詳細表示領域Ｑを矩形状にし、全体表示領域ＰをＬ字状にしてもよい。要は、詳細表示領域Ｑ内の情報を閲覧しながら、全体表示領域Ｐの情報も常に閲覧可能であればよい。
【００４２】
上記の実施形態では、所定の表示対象カテゴリをメニューで選択していたが、会員端末２からの検索要求に応じて全体表示領域Ｐに一覧表示する項目を会員情報ＤＢ８から取り出してもよい。たとえば、「子育て  ＡＮＤ  女性  ＡＮＤ  日記」と検索条件を指定して、子育て中の女性会員が開示している日記の一覧を全体表示領域Ｐに表示させてもよい。
【００４３】
上記の実施形態では、ＳＮＳサーバが画面表示制御装置１を兼ね、会員情報ＤＢ８が配下に備わっていた。しかし、画面表示制御装置１はＳＮＳサーバとは別に設けられ、画面表示制御装置１が会員情報ＤＢ８を備えるＳＮＳサーバにアクセスして必要な情報を検索し抽出するようにしてもよい。画面表示制御装置１あるいはＳＮＳサーバとは独立したコンピュータであるデータベースサーバに会員情報ＤＢ８が格納されていてもよい。要は、ＳＮＳ会員が公開する日記や投稿するコメント等に画面表示制御装置１がアクセス可能であればよい。
【００４４】
本発明はＳＮＳ会員のために、会員間の交流を図るというＳＮＳの趣旨に合致した画面データを提供するものである。しかし、ＳＮＳに限らず、リンクという名の枝が絡みあったインターネット上の深い森を、明確な意思をもって散策しようとする人にとって、実に好ましいツールとなる。例えば、検索エンジンによる検索結果を表示するときにも本発明が利用されると使い勝手がよい。ある検索キーワードによってヒットしたサイトの一覧を全体表示領域に列挙し、ユーザが選択したサイトを詳細表示領域に表示させる。これならば、検索エンジンによって抽出された順位を確認しながら、各サイトを閲覧できる。
【産業上の利用可能性】
【００４５】
本発明によれば、ＳＮＳの会員間で行き交う情報の効率的な閲覧が可能となり、ＳＮＳの会員サービス延いては会員数の増加に繋げることができる。ＳＮＳが多数の会員を擁することになれば、口コミの広告宣伝主体として、あるいは個々の会員の集合体としての消費主体として経済活動に参画可能となる。
【符号の説明】
【００４６】
１：画面表示制御装置、２：会員端末、
５：通信インターフェース部、８：会員情報データベース、
９：データ取得手段、１０：全体表示制御手段、１１：詳細表示制御手段、１２：会員入力データ処理手段、
１３：画面表示部、１４：入力部、１５：通信インターフェース部、
Ｎ：通信ネットワーク
【図１】
2013149187.tif 000003
【図２】
2013149187.tif 000004
【図３】
2013149187.tif 000005
【図４】
2013149187.tif 000006
【図５】
2013149187.tif 000007
【図６】
2013149187.tif 000008